(57)【特許請求の範囲】
【請求項１】
メッセージ表示機能を有する移動機と、この移動機を含むメッセージ通信機能を有する移動体通信網と、この移動体通信網を経由して移動機から送信されてくるアドレスを受信し、インターネット上の指定されたアドレスにあるウェブサーバのファイルを取得し、前記移動機に表示できる形式に変換して移動体通信網を経由して該移動機へ送信するゲートウェイとを備えた無線電話によるメッセージ通信システムにおいて、
前記ゲートウェイは、前記移動体通信網を経由して送信されてくるアドレスを受信する受信部と、前記移動機毎に設定される履歴を記録するとともにファイル取得のための処理を行う受信メッセージ処理部と、前記ゲートウェイの機能の一部を構成するプロキシサーバへファイル取得要求を送信するとともに該プロキシサーバがハイパーテキスト・マークアップ言語または簡略化した移動機用マークアップ言語で記述されたウェブサーバからのファイルを受信するプロキシクライアント部と、このプロキシクライアント部で取得したファイルを前記移動機が表示できる前記移動機用マークアップ言語に変換するフィルタ部と、このフィルタ部で変換されたファイルをパッケージとして前記移動体通信網が取り扱うことができる容量に分割処理する送信メッセージ処理部と、このメッセージ処理部で分割処理したパッケージを前記移動体通信網へ送信する送信部とを備え、前記移動体通信網は、前記移動機毎に設定される情報を記録する登録ユーザ・データベースを有し、前記受信メッセージ処理部は、設定される情報がある場合に、前記登録ユーザ・データベースを参照してファイル取得の処理を行い、かつ前記登録ユーザ・データベースは、ユーザ別にクッキー機能を起動・停止するクッキー設定のための情報が格納されていることを特徴とする無線電話によるメッセージ通信システム。
【発明の詳細な説明】
【０００１】
【発明の属する技術分野】
本発明は、移動機からインターネット上のＷＷＷサーバ（以下、ウェブサーバという）のホームページのファイルを取得し、そのメッセージを移動機の表示部に表示させる無線電話によるメッセージ通信方法及びその方法を実施する通信システムに関するものである。
【０００２】
【従来の技術】
従来、デジタル無線電話システムの発展にともない、文字情報等のメッセージを提供する情報提供サービスシステムが実現されている。例えば、本出願人は、移動機からのユーザ要求に基づいて広い範囲の情報サービスプロバイダにアクセスし、必要な情報を対話的に受けることができるデジタル無線電話による情報提供サービスを実現している。一方、移動機からインターネット上のウェブサーバのホームページ等のファイルを取得して移動機の表示部で表示させる、いわゆるインターネットブラウジングを行うサービスが提案されている。
【０００３】
このようなサービスの１つとして、例えば、ハイパーテキスト・マークアップ言語（以下、ＨＴＭＬという）で記述されたファイルを、ＨＴＭＬと互換性があり、フレームや表組みあるいは特定の画像の表示を行わないといった制約を設けた、コンパクトＨＴＭＬ（Ｃ−ＨＴＭＬ）に変換するか、またはこのＣ−ＨＴＭＬで記述されたホームページのファイルを移動機へダウンロードして表示させる技術が実現されている。また、他のサービスとしては、いわゆるＷＡＰ（ワイヤレス・アプリケーション・プロトコル）による規格に基づくものであり、ホームページをカードとデッキという概念で構成し、１デッキが複数のカードを含み、１カードが１画面に相当し、１回のアクセスで１つのデッキを受信する。また、使用言語は、いわゆるハンドヘルド・マークアップ言語（ＨＤＭＬ）を使用している。
【０００４】
【発明が解決しようとする課題】
しかしながら、従来のＣ−ＨＴＭＬを使用したサービスの場合には、取得するホームページの容量が移動機の処理できる容量を越えた場合には、表示できないため、これに対応できる容量と構成のホームページを作成する必要があった。また、ＨＤＭＬを使用したサービスの場合には、このＨＤＭＬに対応し、カードとデッキの構成をとるホームページを作成する必要があった。すなわち、従来の移動機からインターネット上のウェブサーバのホームページ等のファイルを取得するサービスでは、決められた特定のホームページを作成したり、対応できる容量と構成のホームページを作成しなければならなかった。
【０００５】
本発明は上記事情に鑑みなされたもので、ウェブサーバ上に作成された従来のホームページに何ら変更を加えることなく、移動機側が対応できる容量と構成にしてホームページの特定のメッセージを表示することができる無線電話によるメッセージ通信方法及びその方法を実施する通信システムを提供することを目的とする。
【０００６】
【課題を解決するための手段】
上記目的を達成するために本発明の無線電話によるメッセージ通信システムは、メッセージ表示機能を有する移動機と、この移動機を含むメッセージ通信機能を有する移動体通信網と、この移動体通信網を経由して移動機から送信されてくるアドレスを受信し、インターネット上の指定されたアドレスにあるウェブサーバのファイルを取得し、前記移動機に表示できる形式に変換して移動体通信網を経由して該移動機へ送信するゲートウェイとを備えた無線電話によるメッセージ通信システムにおいて、前記ゲートウェイは、前記移動体通信網を経由して送信されてくるアドレスを受信する受信部と、前記移動機毎に設定される履歴を記録するとともにファイル取得のための処理を行う受信メッセージ処理部と、前記ゲートウェイの機能の一部を構成するプロキシサーバへファイル取得要求を送信するとともに該プロキシサーバがハイパーテキスト・マークアップ言語または簡略化した移動機用マークアップ言語で記述されたウェブサーバからのファイルを受信するプロキシクライアント部と、このプロキシクライアント部で取得したファイルを前記移動機が表示できる前記移動機用マークアップ言語に変換するフィルタ部と、このフィルタ部で変換されたファイルをパッケージとして前記移動体通信網が取り扱うことができる容量に分割処理する送信メッセージ処理部と、このメッセージ処理部で分割処理したパッケージを前記移動体通信網へ送信する送信部とを備え、前記移動体通信網は、前記移動機毎に設定される情報を記録する登録ユーザ・データベースを有し、前記受信メッセージ処理部は、設定される情報がある場合に、前記登録ユーザ・データベースを参照してファイル取得の処理を行い、かつ前記登録ユーザ・データベースは、ユーザ別にクッキー機能を起動・停止するクッキー設定のための情報が格納されているものである。ゲートウェイでは、プロキシサーバがハイパーテキスト・マークアップ言語で記述された取得ファイルをウェブサーバから受信し、この取得ファイルを移動機が表示できる簡略化した移動機用マークアップ言語に変換して移動機へ送信することで、パーソナルコンピュータ用に作成された従来のホームページに変更を加えることなく、移動機が対応できる容量と構成にしてホームページの特定のメッセージを表示することができ、また移動機側の負荷を軽減してファイル取得を容易にでき、かつユーザの認証にクッキー機能を使用することができる。
【００１７】
【発明の実施の形態】
以下、本発明を図示の一実施形態により具体的に説明する。図１及び図２は本発明実施形態の無線電話によるメッセージ通信方法及びその方法を実施する通信システムを説明する図であり、図１はゲートウェイ部分を説明するブロック図、図２は全体構成を説明するブロック図である。
【００１８】
本実施形態の無線電話によるメッセージ通信方法及びその方法を実現する通信システムは、文字情報等によるメッセージサービス機能を有する移動体通信網８の移動機１から、インターネット３１のウェブサーバ３２にあるホームページの情報を取得するものであり、移動機１からファイル取得のためのアドレスを入力して、移動体通信網８を経由してゲートウェイ９に送信し、このゲートウェイ９がインターネット３１のウェブサーバ３２のホームページのファイルを取得し、この取得ファイルを所定の形式に変換し、移動体通信網８を経由して移動機１に送信し、移動機１の表示部で取得したファイルのメッセージを表示するものである。
【００１９】
移動体通信網８は、移動機（ＭＳ：Mobile Station）１と、基地局（ＢＳ：Base Station）２と、交換機（ＭＳＣ：Mobile Switching Center ）３と、ショートメッセージサービスセンター（ＳＭＳＣ：Short Message Service Center）４と、情報提供センター（ＡＭＰ：Advanced Messaging Platform ）５と、登録ユーザ・データベース６等とから構成されている。
【００２０】
移動機（ＭＳ）１は、通常の音声通話が可能な機能を備えるとともに、文字情報等のメッセージを送受信して表示でき、かつ後に詳細に説明する移動機用マークアップ言語（ＭＭＬ）を理解し表示させるユーザインターフェースを提供する部分（ＭＭＬブラウザ）を備える。交換機（ＭＳＣ）２は、移動機（ＭＳ）１の在圏する基地局（ＢＳ）２に対する無線制御を行い基地局（ＢＳ）２を介して移動機（ＭＳ）１に通信サービス等を提供する部分である。ショートメッセージサービスセンター（ＳＭＳＣ）４は、メッセージ転送、メッセージ等の記憶、再送処理、その他の伝送処理を行う部分である。情報提供センター（ＡＭＰ）５は、ユーザ要求から情報提供サービスかあるいはインターネットのホームページのファイル取得かを判断し、経路情報にしたがってユーザ要求を転送するための処理を行い、その後その対話（セッション）が終了するまでその状態を監視する等を行う部分である。登録ユーザ・データベース６は、登録ユーザに関する情報、及び後に詳細に説明するように、ファイル取得にために受信メッセージ処理部１２が参照するユーザ別の切り出し設定のための情報、ユーザ別のクッキー設定のための情報、ユーザ別のブックマーク登録の設定のための情報を記録する部分である。
【００２１】
ゲートウェイ９は、移動体通信網８とインターネット３１との間に配置され、異なるネットワーク間の接続の整合性をとるために、一方のネットワークからメッセージを受信し、必要により格納し、プロトコル変換して他方のネットワークに送信する部分であり、本発明の主要部となるウェブ・ゲートウェイ・プラットフォーム（以下、ＷＧＰ：Web Gateway Platformという）１０と、ファイヤウォールとなるプロキシサーバ３０とから構成されている。
【００２２】
ＷＧＰ１０は、移動体通信網８の情報提供センター（ＡＭＰ）５側から送信されてくるファイル取得要求を受信処理するための受信部１１と、この受信部１１からの取得要求に基づいて移動機１毎に設定される履歴を記録するとともにファイル取得のための送信処理を行うための受信メッセージ処理部１２と、この受信メッセージ処理部１２での処理のために参照あるいは記録するための受信メッセージ処理テーブル１３と、受信メッセージ処理部１２からの取得要求をプロキシサーバ３０へ送信するとともに、このプロキシサーバ３０でインターネット３１のウェブサーバ３２から取得したＨＴＭＬファイルを受信するプロキシクライアント部１４と、このプロキシクライアント部１４の取得ファイルを移動機１が表示できる簡略化した移動機用マークアップ言語（ＭＭＬ）に変換等を行うためのフィルタ部１４と、このフィルタ部１５の処理のための設定・定義を行うための設定・定義部１６と、受信メッセージ処理部１２がリンク情報を参照したりあるいはフィルタ部１５がリンク情報を更新するためのリンクテーブル１７と、フィルタ部１５で変換等が行われたファイルを移動体通信網８が取り扱うことができる容量や構成に分割等の処理を行う送信メッセージ処理部１８と、この送信メッセージ処理部１８の処理のために参照する送信メッセージ処理テーブル１９と、送信メッセージ処理部１８から送信要求されたファイルを受信して移動体通信網８側へ送信処理するための送信部２０等とを備えている。
【００２３】
移動機１からＵＲＬ（Uniform Resource Locator）が入力されるか、あるいはブックマーク登録されているアドレスが選択されて送信されると、移動体通信網８の移動機１と情報提供センター（ＡＭＰ）５との間で移動機番号（電話番号）毎に論理的にキューが形成されるとともに、送受信されるメッセージには、ユニークなセッション番号が付けられる。受信部１１では、情報提供センター（ＡＭＰ）５からファイルの取得要求を受信すると、この取得要求が受信メッセージ処理部１２へ送信される。
【００２４】
受信メッセージ処理テーブル１３は、移動機番号毎に書き込みあるいは参照されるセッション情報テーブルや履歴テーブル、移動機番号毎に個別に設定されているクッキー（Cookie）機能の起動・停止（オン・オフ）に関する情報を格納したユーザ別クッキー設定テーブル、及び後に詳細に説明するユーザ切り出し機能に関する情報を格納したユーザ情報テーブル等からなる。ここでクッキー機能の一つの例は、インターネット上のホームページの中にはユーザ登録・認証を求めるものがあり、登録したユーザにクッキーを与え、同ホームページから受けたことをブラウザが記憶し、次回同じホームページにアクセスした際に、クッキーを元にユーザ認証を行うものである。この場合に、新たにパスワード等の入力の必要がない。本実施形態では、移動機１からホームページをブラウジングする際にも同様のクッキー機能を使用することができるよう、例えば、サービス用ホームページ内にある「クッキー設定」ページなどでクッキー機能の起動・停止を設定できるようになっている。この設定情報は、登録ユーザ・データベース６に格納され、クッキーが起動している場合には、移動機１に代わってクッキー情報をそのホームページのアドレスとともに保存・管理する。そして、次回同ホームページにアクセスする場合に、ＷＧＰ１０はテーブルに保存された移動機１から送信されてきたアドレスと移動機番号を見て登録ユーザ・データベース６を参照しクッキー情報をのせてアクセスをおこなうようになっている。なお、受信メッセージ処理テーブル１３の履歴テーブルなどの情報は、バッチ処理で定期的に削除することが可能である。
【００２５】
受信メッセージ処理部１２は、受信部１１からの取得要求を受信して、受信メッセージ処理テーブル１３を構成するセッション情報をセッション情報テーブルに書き込むとともに、指定されたアドレスを移動機番号毎に設定される履歴テーブルに書き込み、また、リンクテーブル１７を参照して移動機１からの取得要求のアドレスが絶対アドレスか相対アドレスかを判断し、ユーザ別クッキー設定テーブルに格納された起動・停止に関する情報を参照し、さらにユーザ情報テーブルに格納されているユーザ切り出し情報を参照することで、取得要求のための処理を行い、プロキシクライアント部１４に送信する。
【００２６】
プロキシクライアント部１４は、受信メッセージ処理部１２から送信されてきた取得要求を受信し、ユーザ別クッキー設定情報やセッション情報を参照してプロキシサーバ３０に取得要求を送信する。プロキシサーバ３０は、プロキシクライアント部１４から送信されてきた取得要求に基づいて、インターネット３１上の指定されたアドレスのウェブサーバ３２にあるホームページのファイルを取得し、その取得ファイルをプロキシクライアント部１４へ送信する。この取得ファイルは、ＨＴＭＬまたはＭＭＬで記述されている。プロキシクライアント部１４は、取得ファイルを受信メッセージ処理部１２からの変換開始要求に基づいてフィルタ部１５へ送信する。
【００２７】
フィルタ部１５は、フィルタ設定、ＨＴＭＬとＭＭＬとの間の変換のための定義あるいはマスク対象の定義等を行った設定・定義部１６に基づいて変換処理を行う。
【００２８】
図３はフィルタ部の処理手順を示すフローチャートであり、プロキシクライアント部１４がファイルを取得した後に受信メッセージ処理部１２からの指示によりフィルタ処理開始メッセージを受信すると（ＳＴ１）、まず、日本語コード変換を行い（ＳＴ２）、続いてフレーム制御処理を行った後に（ＳＴ３）、ＨＴＭＬで記述された取得ファイルを対応するＭＭＬで記述されたファイルに変換し、またＭＭＬで記述されているときには変換することなくそのままとする（ＳＴ４）。このＭＭＬは、本出願人が情報提供サービスシステムにおいて提案し詳細に説明しており、データ量を軽減するためにＨＴＭＬを短縮することによって効率が上がる部分を短縮したもので、設定・定義部１６でＨＴＭＬに対応したＭＭＬが定義され、定義されていないときには変換に際して削除する。次に、変換されたＭＭＬで記述されたファイルに対応していないリンク拡張子が含まれている場合には、設定・定義部１６に定義されているマスク対象定義未対応キーワードのマスク処理が行われる（ＳＴ５）。
【００２９】
図４はマスク処理を行うときの拡張子表を示す図であり、例えば、拡張子が、.html, htmは、ファイルタイプがＨＴＭＬドキュメントで、対応拡張子であるが、拡張子が、.txt、.ps、 .au、.gif等は、ファイルタイプがそれぞれＡＳＣ・テキスト、ポストスクリプト、オーディオ、ＧＩＦイメージ等で、対応していない拡張子である。上記のマスク処理において、取得したファイル内に対応していない拡張子を持つリンクがある場合には、そのリンク自体を無視し、リンク先の内容を示す文字列があれば、それのみを抽出して表示させ、対応していない拡張子を実施させない処理を行う。例えば、マスク処理対象のファイルが、
<AH=http://www.sky-web.org/index.html>Sky-Webホームページ</A>
<AH=http://www.sky-web.org/index.img/SkyWeb1.gif>Sky-Web 画像１</A>
<AH=http://www.tdp.co.jp>TDPホームページ</A>
である場合には、マスク処理後には、
<AH=http://www.sky-web.org/index.html>Sky-Webホームページ</A>
Sky-Web 画像１
<AH=http://www.tdp.co.jp>TDPホームページ</A>
のようになる。このように、マスク処理により移動機１側において対応できないイメージ表示等を制限し、文字列があればそれのみを表示できるようになる。
【００３０】
次に、図３に示すように、マスク処理の後に、取得ファイル内にリンク情報がある場合に、その絶対アドレスをリンクテーブル１７に書き込むリンクテーブル作成処理を行う（ＳＴ６）。上記のように受信メッセージ処理部１２においては、移動機１側からの取得要求が絶対アドレスか相対アドレスかを判断し、例えば、L001のような相対アドレスの場合には、リンクテーブル１７によりこのL001に対応した、例えば、http://bbb.co.jpのような絶対アドレスを参照するが、フィルタ部１５においては、取得ファイル内にリンク情報がある場合には、その絶対アドレスをリンクテーブル１７に登録する。その際に一意（ユニーク）になる相対アドレスを採番する。例えば、
相対アドレス      絶対アドレス
L000        http://aaa.co.jp
L001        http://bbb.co.jp
L002        http://ccc.co.jp
のように書き込む。次に、受信メッセージ処理部１２の指示のもとに処理メッセージを送信メッセージ処理部１８へ送信する（ＳＴ７）。
【００３１】
送信メッセージ処理テーブル１９は、送信メッセージ処理部１８が分割処理するために参照する、移動機毎のセッション情報や履歴、あるいはユーザ情報等のテーブルである。
【００３２】
送信メッセージ処理部１８は、フィルタ部１５で変換された処理メッセージを分割したパッケージとし、このパッケージにユニークなアドレスを付け、必要に応じてタグを挿入する処理を行う。このパッケージは、タグを含めて移動体通信網８側が転送できる容量である、例えば、１２８バイトを３連結した３８４バイト以内に処理される。
【００３３】
図５はＷＧＰにおける分割処理と移動機における表示を説明する図であり、例えば、変換後の処理メッセージが２３０４バイトの場合には、６つのパッケージに分割されるが、それぞれにユニークなＨ＝１，Ｈ＝２，…等のアドレスを付け、最初のパッケージにはメッセージがＷＧＰ１０にあることを示す＜次＞タグを挿入する。この＜次＞タグにはパッケージ２のユニークなアドレスＨ＝２が入っており、移動機１側において＜次＞タグが選択されると、ＷＧＰ１０側がパッケージ２を送信する。このパッケージ２には、メッセージが続いていることを示すためパッケージ３のアドレスＨ＝３を含む＜次＞タグと、最初に送信したパッケージ１を選択するためのパッケージ１のアドレスＨ＝１を含む＜前＞タグとが挿入される。以下同様にして最後のパッケージまでタグが挿入される。
【００３４】
図６はホームページがフレームに分かれていた場合の処理及び移動機の表示を説明する図であり、取得ファイルのホームページが例えば、左及び右にフレームに分かれていた場合には、フィルタ部１５においてフレーム制御処理が行われ（ＳＴ３）、ＷＧＰ１０側が移動機１側にフレームに分かれていることを送信し、各フレームのアドレスを編集して表示し、フレーム選択させる処理を行い、移動機１側の選択結果が再びＷＧＰ１０に送信されるようになっている。
【００３５】
また、送信メッセージ処理部１８は、フィルタ部１５において、マスク処理を行った後に有効なリンクが含まれる場合には、履歴テーブルにリンク先ホームページのアドレスを書き込み、リンク元ページに戻ったり、メッセージが続いていることを示す処理を行う。さらに、ブックマーク登録するアドレスに対応するパッケージの場合には、最初の３８４バイト分のパッケージに＜登録＞タグを挿入する。また、文字切り出し設定されている場合には、３８４バイトのパッケージに分割する際に指定キーワードを探す。スキップ数が設定されていれば、設定回数同一キーワードをスキップし、指定キーワードがある場合には、指定キーワードを起点に３８４バイトに情報を分割し、必要に応じて上記の通り＜前＞、＜後＞等のタグを挿入する。
【００３６】
図７はＷＧＰにおける有効なリンクがある場合の処理と移動機における表示を説明する図であり、ＷＧＰ１０側のパッケージＮに有効なリンクが含まれ、そのアドレスが履歴テーブルに記録され、そのパッケージＮを移動機１側に送信して表示させ、その移動機１でリンクキーワードが選択されると、ＷＧＰ１０は、リンクテーブル１７を参照してリンク先のメッセージを取得し、上記の通り移動機１に表示できるように処理を行う。そして、履歴テーブルにリンク先ホームページのアドレスを書き込み、リンク先メッセージのパッケージ１，２，…にリンク元に戻る＜戻る＞タグ、メッセージが続くことを示す＜次＞タグを挿入する処理を行う。
【００３７】
図８はブックマーク登録をする場合の処理を説明する図である。一般的にパーソナルコンピュータからインターネット検索する場合に、いわゆるブックマーク登録をすることができるが、移動機１でインターネット検索する際にも任意のホームページを登録できるようになっている。すなわち、移動機１側からインターネットホームページのアドレスが送信され、指定されたアドレスのホームページが取り込まれ、上記の通りの処理を行い、最初の３８４バイト分のパッケージ１に＜次＞タグとともに＜登録＞タグを挿入して移動機１側に送信する。移動機１側がこの＜登録＞タグを選択すると、ＷＧＰ１０は内蔵している履歴テーブルにあるアドレスを、移動機番号毎に別途ブックマークとして保存する。すなわち＜登録＞タグを選択すると、ＷＧＰ１０は、指定されたアドレスを移動機１の画面上に表示し、登録可否の確認をする。ブックマーク登録されたアドレスは、セッション切断後でも登録ユーザデータベース６に保存されるようになっている。移動機１側は次回からのメニューに追加されたブックマークを選択し、登録されたアドレスを選択することで、同アドレスのホームぺージにあるメッセージを入手することができようになっている。
【００３８】
図９は文字切り出し設定とその処理及び移動機における表示を説明する図である。移動機１が一度に表示できる情報量が限られているため、ホームページによっては見たい場所に到達するまでに何度もページ送りをしなければならない場合もある。パーソナルコンピュータ側から、サービス専用のウェブ画面にアクセスし、よく見るホームページのアドレス、その部分に含まれるキーワード及び何回同一キーワードをスキップするかスキップ数を入力する。例えば、図９に示すように、文字切り出し設定のウェブ画面において、アドレス： http://www.tdp.co.jp.、キーワードとして文字：最新情報、スキップ数：２を設定すると、この設定情報は、登録ユーザ・データベース６に移動機番号である電話番号毎に格納・管理される。次回に移動機１が該当ホームページにアクセスする場合には、ＷＧＰ１０が上記の通りにフィルタ部１５で処理した後、送信メッセージ処理部１８は３８４バイトのパッケージに分割する際、まず指定キーワードを探し、スキップ数が設定されていれば、設定回数同一キーワードをスキップする。そして、指定キーワードがある場合には、その指定キーワードを起点として３８４バイトに分割し、必要に応じて＜前＞タグ、＜次＞タグ等のタグを挿入する。すなわち、上記の文字切り出し設定では、アドレス：http://www.tdp.co.jp. のホームページにおいてキーワード：最新情報を探してスキップ数：２回スキップして３番目が選択され、その最新情報を起点として３８４バイトに分割し、＜前＞タグ、＜次＞タグを挿入するようになっている。ホームページの改変により指定キーワードが存在しない場合には、送信メッセージ処理部１９は、対象ホームページを何も表示せず、＜前＞のみ表示し、この＜前＞を選択すると対象ホームページの一番後から表示するように処理を行う。
【００３９】
上記構成によれば、本発明はメッセージ通信機能を有する移動体通信網８の移動機１からアドレスを入力しゲートウェイ９へ送信して、このゲートウェイ９のＷＧＰ１０でファイル取得のための処理を行ってプロキシサーバ３０を介して指定されたアドレスのＨＴＭＬおよびMMLで記述されたファイルを取得し、ＷＧＰ１０のフィルタ部１５で、取得ＨＴＭＬファイルを移動機１が表示できる簡略化したＭＭＬに変換したり、あるいは対応していない拡張子を含むリンクを削除する処理を行い、その処理されたファイルを送信メッセージ処理部１８で移動機１側の表示容量に合わせた分割処理をして移動体通信網８へ送信しているため、従来のウェブサイト上に作成されたホームページに何ら変更を加えることなく、移動機１の表示部に対応できる容量と構成でホームページをメッセージ表示させることができる。また、本発明では、インターネットを検索する場合のブックマーク登録をすることで、パーソナルコンピュータと同様のお気に入り登録をすることができ、さらにユーザ情報として文字切りだし設定を行うことで、何度もページを送ることなく簡単に見たい場所のページに到達することができる。ホームページがＭＭＬで作成されている場合には、アドレスを指定することで移動機１にそのまま表示することができる。
【００４０】
なお、上記の実施形態において、ショートメッセージサービスをベアラに使用し送信データ量を３８４バイトに分割した例を説明したが、大量のデータ送受信できるベアラにおいては、そのデータ量に制限されず、またこれにともないリンク拡張子の制限も緩和することができる。さらに、本発明は開示された特定の実施形態に限定されず、特許請求の範囲により規定されるように本発明の精神及び範囲内において変形できることは容易に理解できるであろう。
【００４１】
【発明の効果】
以上説明したように、本発明の無線電話によるメッセージ通信方法及びその通信システムは、メッセージ表示機能を有する移動機からファイル取得要求のためのアドレスを入力し、この入力したアドレスをメッセージ通信機能を有する移動体通信網を経由してゲートウェイに送信し、このゲートウェイでファイル取得のための処理をおこなってプロキシサーバを介して指定されたアドレスにあるウェブサーバのファイルを取得し、このファイルを移動機に表示できる形式に変換して移動体通信網を経由して移動機へ送信し、移動機で取得ファイルのメッセージを表示することで、ウェブサイト上に作成された従来のホームページに変更を加えることなく、移動機が対応できる容量と構成にしてホームページの特定のメッセージを表示することができる。
【図面の簡単な説明】
【図１】本発明実施形態のゲートウェイ部分を説明するブロック図である。
【図２】本発明実施形態の全体構成を説明するブロック図である。
【図３】本発明実施形態のフィルタ部の処理手順を示すフローチャートである。
【図４】本発明実施形態のマスク処理を行うときの拡張子表を示す図である。
【図５】本発明実施形態のＷＧＰにおける分割処理と移動機における表示を説明する図である。
【図６】本発明実施形態のホームページがフレームに分かれていた場合の処理及び移動機の表示を説明する図である。
【図７】本発明実施形態のＷＧＰにおける有効なリンクがある場合の処理と移動機における表示を説明する図である。
【図８】本発明実施形態のブックマーク登録をする場合の処理を説明する図である。
【図９】本発明実施形態の文字切り出し設定とその処理及び移動機における表示を説明する図である。
【符号の説明】
１  移動機
２  基地局
３  交換機
４  ショートメッセージセンター
５  情報提供センター
６  登録ユーザ・データベース
８  移動体通信網
９  ゲートウェイ
１０  ＷＧＰ
１１  受信部
１２  受信メッセージ処理部
１３  受信メッセージ処理テーブル
１４  プロキシクライアント部
１５  フィルタ部
１６  設定・定義部
１７  リンクテーブル
１８  送信メッセージ処理部
１９  送信メッセージ処理テーブル
２０  送信部
３０  プロキシサーバ
３１  インターネット
３２  ウェブサーバ
【図１】
0003658610.tif 000002
【図２】
0003658610.tif 000003
【図３】
0003658610.tif 000004
【図４】
0003658610.tif 000005
【図５】
0003658610.tif 000006
【図６】
0003658610.tif 000007
【図７】
0003658610.tif 000008
【図８】
0003658610.tif 000009
【図９】
0003658610.tif 000010